(57)【要約】【課題】実験によって得られた知見、特に産卵管形状に着目し、セミがノッチ部の形状を利用して産卵するに際して、産卵管挿入の障害になる構造であって、ノッチ部本来のニッパによる切り裂き作業、これに伴う切り裂きを円滑に行うことができるようにした構造を提供する。【解決手段】ノッチ部がノッチ先端部のノッチ最深さ点から外被面に向けて斬次開放された形状であって、光ファイバ心線に近い側のノッチ先端部が開放角度３０°以内（０°を含まず）で０．２ｍｍ以上の深部を有する形状とされ、ノッチ先端部から外被面までの外被開放部６２が、開放角度が前記開放角度以上とされる。【選択図】図４
2011232643.tif 000002
【特許請求の範囲】
【請求項１】
１本もしくは近接配置の２本の光ファイバ心線と、該光ファイバ心線の側方に配設される抗張力体と、前記光ファイバ心線および抗張力体を被覆し、断面がほぼ矩形をなし、矩形形状の外被面に一対のノッチ部が形成された外被とを備えた光ドロップケーブルにおいて、
前記ノッチ部がノッチ先端部のノッチ最深さ点から外被面に向けて斬次開放された形状であって、光ファイバ心線に近い側のノッチ先端部が開放角度３０°以内（０°を含まず）で０．２ｍｍ以上の深部を有する形状とされ、ノッチ先端部から外被面までの外被開放部が、開放角度が前記開放角度以上とされたこと
を特徴とする光ドロップケーブル。
【請求項２】
請求項１において、前記ノッチ部が２段階の段階状形状とされ、ノッチ先端部が開放角度３０°以内で０．２ｍｍ以上の深部を有する形状としたことを特徴とする光ドロップケーブル。
【請求項３】
請求項１において、前記ノッチ部が曲面形状で形成され、ノッチ先端部が開放角度３０°以内で０．２ｍｍ以上の深部を有する形状としたことを特徴とする光ドロップケーブル。
【発明の詳細な説明】
【技術分野】
【０００１】
本発明は、光ドロップケーブル（光ファイバケーブル）に関する。
【背景技術】
【０００２】
光ファイバケーブルは、光ファイバ心線とこれを挟むように配設された２本の抗張力体と抗張力体を樹脂シースで被覆する外被（外皮）から構成され、断面形状がくさび形状の切欠き溝からなる引き裂き部としてのノッチ部が、光ファイバ心線を挟んで対抗する外被の外側面に設けられた構造を有するものとして一般的に知られている。
【０００３】
このような光ドロップケーブルについて、セミ（特にクマゼミ等の大型セミ）が産卵行動をすることが原因で、内部の光ファイバ心線が断線する事故が発生することが報告されている。
【０００４】
この事故は、セミが空中に架設された光ドロップケーブルを枯れ枝と勘違いして産卵管を突き刺して卵を産みつける時に、特にケーブル外面のノッチ部に産卵管を突き刺し、この際に光ファイバ心線に産卵管が接触して光ファイバ心線を断線させることによって発生する。
【０００５】
産卵管接触による事故防止を実現するために、たくさんの提案がなされている。
【０００６】
特許文献１には、セミが有する産卵管の直径よりも幅広にノッチ部の溝幅を形成することが記載されている。
【０００７】
特許文献２には、光ドロップケーブルの外皮に山形の突条を設けてセミが光ファイバ心線の近くに産卵しないようにした構造が記載されている。
【０００８】
特許文献３には、ノッチ部を２段階の階段状に形成したドロップ光ファイバケーブルが記載されている。
【先行技術文献】
【特許文献】
【０００９】
【特許文献１】特開２００５−１２２０４９号公報
【特許文献２】特開２００２−９０５９２号公報
【特許文献３】特開２００５−１２１７５４号公報
【発明の概要】
【発明が解決しようとする課題】
【００１０】
上述のように、セミが光ファイバケーブルに留まり、産卵管を光ファイバケーブルに突き刺すことにより光ファイバ心線を傷付け、断線に至る事故に至る。
【００１１】
発明者等は、クマゼミによる光ドロップケーブルでクマゼミ産卵実験を行い、断線被害の状況を観察した。
【００１２】
図１は、光ドロップケーブルにクマゼミが留まり、産卵管を光ドロップケーブル（ドロップケーブル）に産卵管を突き刺している状態、産卵管形状および光ドロップケーブルに対する産卵痕を示す。これらの実験によれば、供試された光ドロップケーブルに対して、産卵痕は、光ファイバ心線にダメージを与えており、ほとんどのケースにおいて卵が産みつけられていた。
【００１３】
本発明は、これらの実験によって得られた知見、特に産卵管形状に着目し、セミがノッチ部の形状を利用して産卵するに際して、産卵管挿入の障害になる構造であって、ノッチ部本来のニッパによる切り裂き作業、これに伴う切り裂きを円滑に行うことができるようにした構造を提供することを目的とする。
【課題を解決するための手段】
【００１４】
図１に示す産卵管形状に注目すると、産卵管形状は、図２（ａ），図２（ｂ）に構造的に示すように、平べったい円錐状をなし、観測値によれば、最大の産卵管角度は先端に向けてほぼ３５〜４０°をなし、その長さはほぼ１．５〜１．９ｍｍ程度である。そして、ノッチ部に挿入される産卵管先端部の長さは０．３ｍｍ以内である。
【００１５】
このような観測値に基づくと、ノッチ部の切り欠き角度（開放角度）を３０°以内となし、産卵管の先端部の大部分が挿入されないようにすることによってセミが産卵管挿入をする時の障害とせしめることが可能となる。
【００１６】
そして、小さな切り欠き角度のみのノッチ部構造としてはニッパ使用による切り裂き作業をスムーズに行えないので、ノッチ部の入口部はラップ状に角度を大きくすることでニッパ使用による切り裂き作業を円滑なものとすることができる。
【００１７】
そのため、本発明は、１本もしくは近接配置の２本の光ファイバ心線と、該光ファイバ心線の側方に配設される抗張力体と、前記光ファイバ心線および抗張力体を被覆し、断面がほぼ矩形をなし、矩形形状の外被面に一対のノッチ部が形成された外被とを備えた光ドロップケーブルにおいて、
前記ノッチ部がノッチ先端部のノッチ最深さ点から外被面に向けて斬次開放された形状であって、光ファイバ心線に近い側のノッチ先端部が開放角度３０°以内（０°を含まず）で０．２ｍｍ以上の深部を有する形状とされ、ノッチ先端部から外被面までの外被開放部が、開放角度が前記開放角度以上とされたこと
を特徴とする光ドロップケーブルを提案する。
【００１８】
本発明は、更に上述の光ドロップケーブルであって、前記ノッチ部が２段階の段階状形状とされ、光ファイバ心線に近い側のノッチ先端部が、解放角度３０°以内で０．２ｍｍ以上の深部を有する形状とした光ドロップケーブルを提供する。
【００１９】
本発明は、更に上述の光ドロップケーブルであって、前記ノッチ部が曲面形状で形成され、ノッチ先端部が、開放角度３０°以内で０．２ｍｍ以上の深度を有する形状とした光ドロップケーブルを提供する。
【００２０】
本発明は、また、前記外被を形成する材料は、デュロメータ硬度（ショアＤ）が５５以上の、高密度ポリエチレンと難燃材料とを組み合わせ材料であることを特徴とする光ドロップケーブルを提供する。
【発明の効果】
【００２１】
本発明によれば、ノッチ先端部が、開放角度３０°以内で０．２ｍｍ以上の深度を有する形状とされているので、産卵管挿入時の挿入障害となって産卵管先端部の大部分がノッチ部に挿入されず、ノッチ先端部から外被面までの外被開放部が、開放角度が前述の開放角度以上としているので、ニッパを挿入し易く、切り裂き作業を円滑に行うことができると共に、ノッチ先端部の開放角度が小さいために切り裂きをより小さな力で実行することができる。
【図面の簡単な説明】
【００２２】
【図１】クマゼミの産卵による光ドロップケーブルの断線被害状況の観察図。
【図２】クマゼミの産卵管形状を示す、図２（ａ）その写真図、図２（ｂ）（ｃ）はそれぞれ上方からおよび側方から見た時の構造図。
【図３】本発明の第１の実施例を示す構成図。
【図４】図３の構成図の１部拡大図。
【図５】本発明の第２の実施例を示し、図４に対応する図。
【発明を実施するための形態】
【００２３】
以下、本発明の実施例を図面に基づいて説明する。
【実施例１】
【００２４】
図３は、本発明の実施例である光ドロップケーブルの構成を示し、図３（ａ）は１本の光ファイバ心線が用いられた場合の例を示し、図３（ｂ）は間隔を置いた２本の光ファイバ心線が用いられた場合の例を示す。尚、本実施例では支持線が無い光ドロップケーブルの一例を示しているが、支持線有りの場合も本実施例と同様な効果が得られる。
【００２５】
図３（ａ）において、光ドロップケーブル１は、１本の光ファイバ心線２と、光ファイバ心線２の側方で本例の場合、両側（図で上下両側）に間隔を置いて配設される一対の抗張力体３と、光ファイバ心線および一対の抗張力体３を被覆し、断面がほぼ矩形をなし、矩形形状の外被面５、本例の場合、上述の両側に直角方向の両側（図で左右両側）の外被面５に一対のノッチ部６が形成された外被（外皮）４を備えて構成される。‘ほぼ’としたのは四隅において曲線形状をなすことによる。図３（ｂ）に示す例にあっても図３（ａ）に示す例と基本的に同一の構成であるが、近接配置の２本の光ファイバ２（２ａ、２ｂ）が用いられており、２本の光ファイバ２の中心を通る水平線からノッチ部６が上下方向にずれている例を示している。
【００２６】
図３（ｂ）に示す例は、水平面上に対称配置されていないが、左側面から右側面にかけてある角度（例えば４５°）の線上に光ファイバ心線２を中心として一対のノッチ部６が形成されている。すなわち、４５°角度の線上において、一対のノッチ部６は光ファイバ心線２を中心として対称配置とされ、ニッパ等の道具による外被４の引き裂きを行い易いように配置されている。
【００２７】
図４は、図３に示す例示において、主にノッチ部６を拡大して示す図であり、図４（ａ）は図３（ａ）に、そして図４（ｂ）は図３（ｂ）に対応する。
【００２８】
図４において、ノッチ部６は２段階形状とされ、光ファイバ心線に近い側のノッチ先端部６１と、ノッチ先端部６１から外被面５までの外被開放部６２とから構成される溝構造を備える。図示の例においては、セミの産卵管先端部の形状を参照して、ノッチ先端部６１が開放角度２０°で０．２ｍｍの深度を有し、外被開放部６２の開放角度を６０°としている。セミの産卵管形状を考慮した時に、ノッチ先端部６１が開放角度３０°以内（０°を含まず）で０．２ｍｍ以上の深部を有する形状とし、外被開放部６２が、開放角度が前述の開放角度３０°よりも大きな開放角度とすることができる。この角度はニッパ挿入を考慮した時に６０°以内とされる。すなわち、ノッチ先端部６１および外被開放部６２の角度は、セミの産卵管先端部６１が奥方まで到達しないで、ニッパが挿入しやすい形状となる。
【００２９】
従って、図４に示す例によれば、ノッチ部６がノッチ先端部６１のノッチ最深さ点から外被面に向けて斬次開放された形状であって、光ファイバ心線に近い側のノッチ先端部６１が開放角度３０°以内（０°を含まず）で０．２ｍｍ以上の深部を有する形状とされ、ノッチ先端部６１から外被面５までの外被開放部６２が、開放角度が前述の開放角度以上とされ、ノッチ部６が２段階の段階状形状とされた場合に、ノッチ先端部６１が開放角度３０°以内で０．２ｍｍ以上の深部を有する形状とした光ドロップケーブルが構成される。
【００３０】
このような例において、外被４は、デュロメータ硬度（ショアＤ）が５５〜７０の熱可塑性樹脂で形成され得る。一般的に硬いプラスチックを測定する場合は、JIS  K7215（プラスチックのデュロメータ硬さ試験方法）に準じて測定され、外被４はショアＤ硬度の数値で表される。
【００３１】
外被４を形成するデュロメータ硬さ（ショアＤ）５５以上の材料としては、高密度ポリエチレンと難燃材料（例えば、水酸化マグネシウム）とを組み合せた材料があげられる。
【００３２】
更に例示してみると、デュロメータ硬度（ショアＤ）が５５以上の樹脂としては、ポリアミド６、ポリアミド６６、ポリアミド１２、ポリアミド６１０、ポリアミド６１２、ポリアミド４６などを主材料とした熱可塑性樹脂が、その他の樹脂としては、例えば、ＡＢＳ樹脂、ＡＣＳ樹脂、ＡＥＳ樹脂、ＡＢＳ／ＰＶＣアロイ、ＡＳＡ樹脂、エチレン−塩化ビニル共重合体、フッ素樹脂、ポリアミドイミド、ポリアリレート、オレフィンビニルアルコール共重合体、フェノール樹脂、ポリアミド系樹脂(アモルファスポリアミド、変性ポリアミドなど)、ポリブチレンテレフタレート、ポリカーボネート、ポリエーテルスルホン、ポリチオエーテルスルホン、ポリエチレンテレフタレート、ポリイミド、ノルボルネン樹脂、ポリフェニレンエーテル、ポリフェニレンスルフィド、ポリ塩化ビニルなどや、これらの樹脂を主材として、変性又は合成、混合したもの、炭酸カルシウムやチタン酸カリウムウィスカー、カオリン粘土、タルクや雲母などの充填材を添加して硬度を向上させたもの、或いは架橋材を添加した後に架橋させて硬度を向上させたもの、などが挙げられる。
【実施例２】
【００３３】
図５は、第２の実施例の構成を示し、第１の実施例と同一構成については同一の番号が付してあり、図５（ａ）は図４（ａ）に、そして図５（ｂ）は図４（ｂ）に対応する。図５において、点線は、第１の実施例を比較のため示してある。
【００３４】
第１の実施例では、ノッチ部６が２段階の段階状形状としているが、第２の実施例では、ノッチ部６が曲面形状で形成され、ノッチ先端部６１Ａが開放角度３０°以内で０．２ｍｍ以上の深部を有する形状としてある。この例の場合、ノッチ先端部６１Ａは曲率が大きな円で形成し、外被開放部６２Ａは曲率が小さな円で形成している。従って、この場合にあってもノッチ部６の外被開放部６２Ａはラッパ状としてノッチ先端部６１Ａの開放角度よりも大きなものとして形成することができる。例えば、第１の実施例では開放角度が６０°としていたが、このラッパ状形状の採用によって６０°よりも更に大きなものとしながら、ノッチ先端部６１の開度角度を第１の実施例における開放角度よりも小さなものとすることができる。そして、外被開放部６２Ａは曲面であるので、セミの産卵管先端部がこの曲面により強く押圧され、中への挿入が妨げられ得る。なお、曲面はいくつかの曲面の複合によって形成するようにしてもよい。
【００３５】
画面形状は、本例に示すように全体が曲面で形成される場合に加えて、本例に示すところに従って、直線との組み合わせ、直線自体の組み合わせ、球球、放物線、インボリュート（歯形の歯型）からなる曲面のいずれかで形成されてもよい。
【００３６】
従って、図５に示す例によればノッチ部６がノッチ先端部６１Ａのノッチ最深さ点から外被面に向けて斬次開放された形状であって、光ファイバ心線に近い側のノッチ先端部６１Ａが開放角度３０°以内（０°を含まず）で０．２ｍｍ以上の深部を有する形状とされ、ノッチ先端部６１Ａから外被面５までの外被開放部６２Ａが、開放角度が前述の開放角度以上とされ、ノッチ部６が曲面形状で形成され、ノッチ先端部６１Ａが開放角度３０°以内で０．２ｍｍ以上の深度を有する形状とした光ドロップケーブルが構成される。
【符号の説明】
【００３７】
１…光ドロップケーブル、２…光ファイバ心線、３…抗張力体、４…外被（外皮）、５…外被面、６…ノッチ部、６１，６１Ａ…ノッチ先端部、６２，６２Ａ…外被開放部。
【図１】
2011232643.tif 000003
【図２】
2011232643.tif 000004
【図３】
2011232643.tif 000005
【図４】
2011232643.tif 000006
【図５】
2011232643.tif 000007